【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
電力を供給する電源と、
前記電力で駆動される被駆動部と、
前記電源の放電を行うための疑似負荷と、
前記疑似負荷を前記電源に接続したり、接続を切ったりする接続部と、
無負荷時に前記電源の電圧において前記被駆動部を駆動するのに許容できる前記電源の内部抵抗の上限値を内部抵抗上限値とし、内部抵抗値が前記内部抵抗上限値である前記電源に前記疑似負荷を接続したときの前記電源の電圧と、無負荷時の前記電源の電圧と、を対応させてあらかじめ記憶する記憶部と、
前記電源の電圧を計測する電圧計測部と、
前記電源に前記疑似負荷を接続した場合に前記電圧計測部によって計測される前記電源の電圧を第１電圧とし、前記電圧計測部により計測された無負荷時の前記電源の電圧に対応させて前記記憶部から読み出した、内部抵抗値が前記内部抵抗上限値と一致する前記電源に前記疑似負荷を接続したときの前記電源の電圧を第２電圧とした時、前記第１電圧と前記第２電圧を比較する比較部と、
前記比較部の比較結果に基づいて前記被駆動部の駆動の可否を判断し、前記被駆動部の駆動が可能な場合には前記被駆動部の駆動を行わせる駆動可否判断部と、
を備えたことを特徴とする電子機器。
【請求項２】
請求項１記載の電子機器において、
前記駆動可否判断部は、前記疑似負荷を接続した前記電源の電圧（第１電圧）が、内部抵抗値が前記内部抵抗上限値である前記電源に前記疑似負荷を接続したときの前記電源の電圧（第２電圧）以上である場合に前記被駆動部を駆動させることを特徴とする電子機器。
【請求項３】
請求項１記載の電子機器において、
前記疑似負荷は、前記被駆動部の負荷よりも小さく、かつ、あらかじめ設定した負荷よりも大きく設定されることを特徴とする電子機器。
【請求項４】
請求項３記載の電子機器において、
前記あらかじめ設定した負荷は、前記被駆動部の負荷の１／１０以上に設定されることを特徴とする電子機器。
【請求項５】
請求項１記載の電子機器において、
前記電圧計測部は、疑似負荷が接続された前記電源の電圧を計測するに際し、前記疑似負荷を接続してから、前記電源の単位時間あたりの電圧変化量が所定範囲内に収まった後に電圧の計測を行うことを特徴とする電子機器。
【請求項６】
請求項５記載の電子機器において、
前記所定範囲は、５［ｍＶ／ｍｓｅｃ］以内であることを特徴とする電子機器。
【請求項７】
請求項５記載の電子機器において、
前記所定範囲は、０．５［ｍＶ／ｍｓｅｃ］以内であることを特徴とする電子機器。
【請求項８】
請求項１記載の電子機器において、
前記電圧計測部は、前記疑似負荷が接続されていない時の電圧を計測するに際し、前記被駆動部が駆動を止めてから単位時間あたりの電圧変化量が一定範囲以内になった場合に電圧計測を行うことを特徴とする電子機器。
【請求項９】
請求項８記載の電子機器において、
前記電圧計測部は、所定時間内に前記電圧変化量が前記一定範囲内に収まらない場合には、前回被駆動部を駆動する際に使用した計測値を電圧計測値として用いることを特徴とする電子機器。
【請求項１０】
請求項８記載の電子機器において、
前記一定範囲は、５［ｍＶ／ｍｓｅｃ］以内であることを特徴とする電子機器。
【請求項１１】
請求項８記載の電子機器において、
前記一定範囲は、０．５［ｍＶ／ｍｓｅｃ］以内であることを特徴とする電子機器。
【請求項１２】
請求項１記載の電子機器において、
前記記憶部は、前記被駆動部の動作時に前記電源において許容できる下限電圧をＶ４とし、前記疑似負荷の抵抗値をＲＴとし、前記被駆動部の抵抗換算値をＲＸとし、無負荷時の前記電源の電圧Ｖ０の場合に許容できる前記電源の内部抵抗上限値をＲＬとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを記憶することを特徴とする電子機器。
ＲＬ＝ＲＸ×（Ｖ０−Ｖ４）／Ｖ４          ……（１）
ＶＴＬ＝ＲＴ×（Ｖ０／（ＲＬ＋ＲＴ））    ……（２）
【請求項１３】
請求項１記載の電子機器において、
出力電圧を所定電圧とする電圧調整部を有し、
前記被駆動部に対する前記電力の供給が前記電圧調整部を介して行われ、かつ、前記記憶部は、前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の電圧降下量の抵抗換算値をＲＥＧｄとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを記憶することを特徴とする電子機器。
ＲＬ＝ＲＸ×（Ｖ０−Ｖ４）／Ｖ４−ＲＥＧｄ          ……（１）
ＶＴＬ＝ＲＴ×（Ｖ０／（ＲＬ＋ＲＴ））              ……（２）
【請求項１４】
請求項１記載の電子機器において、
出力電圧を所定の規定電圧とする電圧調整部を有し、
前記被駆動部に対する前記電力の供給が前記電圧調整部を介して行われるに際し、前記被駆動部が前記規定電圧未満の電圧で駆動可能な場合であって、かつ、前記記憶部は、前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の定格出力電圧をＲＥＧｏｕｔとし、前記電圧調整部の電圧降下量の抵抗換算値をＲＥＧｄとし、前記電源の電圧が前記電圧調整部の定格出力電圧ＲＥＧｏｕｔ未満となった場合の前記電圧調整部の電圧降下量の抵抗換算係数をＲＥＧｄｄとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを記憶することを特徴とする電子機器。
2002123340.tif 000001
【請求項１５】
請求項１２ないし１４のいずれかに記載の電子機器において、
複数の前記被駆動部を同時に駆動する場合の前記抵抗換算値ＲＸは、複数の前記被駆動部を各々抵抗と見なした場合の合成抵抗換算値とすることを特徴とする電子機器。
【請求項１６】
請求項１記載の電子機器において、
更に出力電圧を所定の規定電圧とする電圧調整部を有し、前記被駆動部は、前記電力が前記電源から直接供給される第１被駆動部と、前記電力が前記電圧調整部を介して供給される第２被駆動部とからなる前記電子機器において、前記第１被駆動部および前記第２被駆動部を同時駆動する場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の内部抵抗が前記内部抵抗上限値ＲＬである場合に前記疑似負荷接続時の前記電源の電圧をＶＴＬとした場合に、
前記第１被駆動部を駆動させる場合に許容される前記電源の内部抵抗上限値ＲＬ1を（１）式により算出し、
2002123340.tif 000002
前記第２被駆動部を駆動させる場合に許容される前記電源の内部抵抗上限値ＲＬ2を（２）式により算出し、
2002123340.tif 000003
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴とする電子機器。
ＶＴＬ＝ＲＴ×（Ｖ０／（ＲＬ＋ＲＴ））              ……（３）
【請求項１７】
請求項１記載の電子機器において、
前記電子機器は、出力電圧を所定の規定電圧ＲＥＧｏｕｔとする電圧調整部を有し、前記被駆動部は、前記電力が前記電源から直接供給される第１被駆動部と、前記電力が前記電圧調整部を介して供給される第２被駆動部と、を有し、前記第１駆動部及び前記第２駆動部を同時駆動する場合であり、かつ、前記第２被駆動部が前記規定電圧未満の電圧で駆動可能な場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の電圧が前記規定電圧ＲＥＧｏｕｔを下回った場合の前記電圧調整部の電圧降下量の抵抗換算係数をＲＥＧｄdとし、前記電源の内部抵抗が前記内部抵抗上限値ＲＬである場合に前記疑似負荷接続時の前記電源の電圧をＶＴＬとした場合に、
前記第１被駆動部を駆動させる場合に許容される前記電源の内部抵抗上限値ＲＬ1を（１）式により算出し、
2002123340.tif 000004
前記第２被駆動部を駆動させる場合に許容される前記電源の内部抵抗上限値ＲＬ2を（２）式により算出し、
2002123340.tif 000005
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴とする電子機器。
ＶＴＬ＝ＲＴ×（Ｖ０／（ＲＬ＋ＲＴ））              ……（３）
【請求項１８】
請求項１２ないし１７のいずれかに記載の電子機器において、
前記記憶部は、無負荷時の前記電源の電圧Ｖ０を下位アドレスとし、被駆動部の駆動要求状態を上位アドレスとした記憶領域に前記電圧ＶＴＬをデータとして記憶していることを特徴とする電子機器。
【請求項１９】
電力を供給する電源と、前記電力が供給で駆動される被駆動部と、前記電源の放電を行うための疑似負荷と、前記疑似負荷を前記電源に接続したり、接続を切ったりする接続部と、無負荷時に前記電源の電圧において前記被駆動部を駆動するのに許容できる前記電源の内部抵抗の上限値を内部抵抗上限値とし、内部抵抗値が前記内部抵抗上限値である前記電源に前記疑似負荷を接続したときの前記電源の電圧と、無負荷時の前記電源の電圧と、を対応させてあらかじめ記憶する記憶部と、前記電源の電圧を計測する電圧計測部と、を備えた電子機器の制御方法において、
前記電源に前記疑似負荷を接続した場合に前記電圧計測部によって計測される前記電源の電圧を第１電圧とし、前記電圧計測部により計測された無負荷時の前記電源の電圧に対応させて前記記憶部から読み出した、内部抵抗値が前記内部抵抗上限値と一致する前記電源に前記疑似負荷を接続したときの前記電源の電圧を第２電圧とした時、前記第１電圧と前記第２電圧とを比較し、
前記比較結果に基づいて前記被駆動部の駆動の可否を判断し、前記被駆動部の駆動が可能な場合には前記被駆動部の駆動を行わせる、
ことを特徴とする電子機器の制御方法。
【請求項２０】
請求項１９記載の電子機器の制御方法において、
疑似負荷が接続された前記電源の電圧を計測するに際し、前記疑似負荷を接続してから、前記電源の電圧の単位時間あたりの電圧変化量が所定範囲内に収まった後に電圧の計測を行うことを特徴とする電子機器の制御方法。
【請求項２１】
請求項２０記載の電子機器の制御方法において、
前記所定範囲は、５［ｍＶ／ｍｓｅｃ］以内であることを特徴とする電子機器の制御方法。
【請求項２２】
請求項２０記載の電子機器の制御方法において、
前記所定範囲は、０．５［ｍＶ／ｍｓｅｃ］以内であることを特徴とする電子機器の制御方法。
【請求項２３】
請求項１９記載の電子機器の制御方法において、
前記疑似負荷の非接続時の電圧を計測するに際し、前記被駆動部が駆動を止めてから単位時間あたりの電圧変化量が一定範囲以内になった場合に電圧計測を行うことを特徴とする電子機器の制御方法。
【請求項２４】
請求項２３記載の電子機器の制御方法において、
所定時間内に前記電圧変化量が前記一定範囲内に収まらない場合には、前回被駆動部を駆動する際に使用した計測値を電圧計測値として用いることを特徴とする電子機器の制御方法。
【請求項２５】
請求項２３記載の電子機器の制御方法において、
前記一定範囲は、５［ｍＶ／ｍｓｅｃ］以内であることを特徴とする電子機器の制御方法。
【請求項２６】
請求項２３記載の電子機器の制御方法において、
前記一定範囲は、０．５［ｍＶ／ｍｓｅｃ］以内であることを特徴とする電子機器の制御方法。
【請求項２７】
請求項１９記載の電子機器の制御方法において、
前記被駆動部の動作時に前記電源において許容できる下限電圧をＶ４とし、前記疑似負荷の抵抗値をＲＴとし、前記被駆動部の抵抗換算値をＲＸとし、無負荷時の前記電源の電圧Ｖ０の場合に許容できる前記電源の内部抵抗上限値をＲＬとし、内部抵抗値が前記内部抵抗上限値ＲＬである場合に前記疑似負荷を接続したときの前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを前記記憶部に記憶させることを特徴とする電子機器の制御方法。
ＲＬ＝ＲＸ×（Ｖ０−Ｖ４）／Ｖ４        ……（１）
ＶＴＬ＝ＲＴ×（Ｖ０／（ＲＬ＋ＲＴ））    ……（２）
【請求項２８】
請求項１９記載の電子機器の制御方法において、
前記電子機器は、出力電圧を所定電圧として前記被駆動部に対する前記電力の供給を行う電圧調整部を有し、
前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の電圧降下量の抵抗換算値をＲＥＧｄとし、内部抵抗値が前記内部抵抗上限値ＲＬである場合に、前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを前記記憶部に記憶させることを特徴とする電子機器の制御方法。
ＲＬ＝ＲＸ×（Ｖ０−Ｖ４）／Ｖ４−ＲＥＧｄ          ……（１）
ＶＴＬ＝ＲＴ×（Ｖ０／（ＲＬ＋ＲＴ））              ……（２）
【請求項２９】
請求項１９記載の電子機器の制御方法において、
前記電子機器は、出力電圧を所定の規定電圧として前記被駆動部に対する前記電力の供給を行う電圧調整部を有し、
前記被駆動部が前記規定電圧未満の電圧で駆動可能な場合であって、かつ、前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の定格出力電圧をＲＥＧｏｕｔとし、前記電圧調整部の電圧降下量の抵抗換算値をＲＥＧｄとし、前記電源の電圧が前記電圧調整部の定格出力電圧ＲＥＧｏｕｔ未満となった場合の前記電圧調整部の電圧降下量の抵抗換算係数をＲＥＧｄdとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを前記記憶部に記憶させることを特徴とする電子機器の制御方法。
2002123340.tif 000006
【請求項３０】
請求項２７ないし２９のいずれかに記載の電子機器の制御方法において、
複数の前記被駆動部を同時駆動する場合の前記抵抗換算値ＲＸは、複数の前記被駆動部を各々抵抗と見なした場合の合成抵抗換算値とすることを特徴とする電子機器の制御方法。
【請求項３１】
請求項１９記載の電子機器の制御方法において、
前記電子機器は、出力電圧を所定の規定電圧とする電圧調整部を有し、前記被駆動部は、前記電力が前記電源から直接供給される第１被駆動部と、前記電力が前記電圧調整部を介して供給される第２被駆動部と、を有し、前記電子機器において、前記第１被駆動部および前記第２被駆動部を同時駆動する場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の内部抵抗が前記内部抵抗上限値ＲＬである場合に前記疑似負荷を接続したときの前記電源の電圧をＶＴＬとした場合に、
前記第１被駆動部を駆動させる場合に許容される前記電源の内部抵抗上限値ＲＬ1を（１）式により算出し、
2002123340.tif 000007
前記第２被駆動部を駆動させる場合に許容される前記電源の内部抵抗上限値ＲＬ2を（２）式により算出し、
2002123340.tif 000008
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴とする電子機器の制御方法。
ＶＴＬ＝ＲＴ×（Ｖ０／（ＲＬ＋ＲＴ））              ……（３）
【請求項３２】
請求項１９記載の電子機器の制御方法において、
前記電子機器は、出力電圧を所定の規定電圧ＲＥＧｏｕｔとする電圧調整部を有し、前記被駆動部は、前記電力が前記電源から直接供給される第１被駆動部と、前記電力が前記電圧調整部を介して供給される第２被駆動部と、を有し、前記第１駆動部及び前記第２駆動部を同時駆動する場合であり、かつ、前記第２被駆動部が前記規定電圧未満の電圧で駆動可能な場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の電圧が前記規定電圧ＲＥＧｏｕｔを下回った場合の前記電圧調整部の電圧降下量の抵抗換算係数をＲＥＧｄdとし、前記電源の内部抵抗が前記内部抵抗上限値ＲＬである場合に前記疑似負荷接続時の前記電源の電圧をＶＴＬとした場合に、
前記第１被駆動部を駆動させる場合に許容される前記電源の内部抵抗上限値ＲＬ1を（１）式により算出し、
2002123340.tif 000009
前記第２被駆動部を駆動させる場合に許容される前記電源の内部抵抗上限値ＲＬ２を（２）式により算出し、
2002123340.tif 000010
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴とする電子機器の制御方法。
ＶＴＬ＝ＲＴ×（Ｖ０／（ＲＬ＋ＲＴ））              ……（３）
【請求項３３】
請求項２７ないし３２のいずれかに記載の電子機器の制御方法において、
無負荷時の前記電源の電圧Ｖ０を下位アドレスとし、被駆動部の駆動要求状態を上位アドレスとした前記記憶部の記憶領域に前記電圧ＶＴＬをデータとして記憶させることを特徴とする電子機器の制御方法。
【手続補正２】
【補正対象書類名】明細書
【補正対象項目名】０００８
【補正方法】変更
【補正の内容】
【０００８】
【課題を解決するための手段】
上記課題を解決するため、請求項１記載の構成は、電力を供給する電源と、前記電力で駆動される被駆動部と、前記電源の放電を行うための疑似負荷と、前記疑似負荷を前記電源に接続したり、接続を切ったりする接続部と、無負荷時に前記電源の電圧において前記被駆動部を駆動するのに許容できる前記電源の内部抵抗の上限値を内部抵抗上限値とし、内部抵抗値が前記内部抵抗上限値である前記電源に前記疑似負荷を接続したときの前記電源の電圧と、無負荷時の前記電源の電圧と、を対応させてあらかじめ記憶する記憶部と、前記電源の電圧を計測する電圧計測部と、前記電源に前記疑似負荷を接続した場合に前記電圧計測部によって計測される前記電源の電圧を第１電圧とし、前記電圧計測部により計測された無負荷時の前記電源の電圧に対応させて前記記憶部から読み出した、内部抵抗値が前記内部抵抗上限値と一致する前記電源に前記疑似負荷を接続したときの前記電源の電圧を第２電圧とした時、前記第１電圧と前記第２電圧を比較する比較部と、前記比較部の比較結果に基づいて前記被駆動部の駆動の可否を判断し、前記被駆動部の駆動が可能な場合には前記被駆動部の駆動を行わせる駆動可否判断部と、を備えたことを特徴としている。
【手続補正３】
【補正対象書類名】明細書
【補正対象項目名】０００９
【補正方法】変更
【補正の内容】
【０００９】
請求項２記載の構成は、請求項１記載の電子機器において、前記駆動可否判断部は、前記疑似負荷を接続した前記電源の電圧（第１電圧）が、内部抵抗値が前記内部抵抗上限値である前記電源に前記疑似負荷を接続したときの前記電源の電圧（第２電圧）以上である場合に前記被駆動部を駆動させることを特徴としている。
【手続補正４】
【補正対象書類名】明細書
【補正対象項目名】００１２
【補正方法】変更
【補正の内容】
【００１２】
請求項５記載の構成は、請求項１記載の電子機器において、前記電圧計測部は、疑似負荷が接続された前記電源の電圧を計測するに際し、前記疑似負荷を接続してから、前記電源の単位時間あたりの電圧変化量が所定範囲内に収まった後に電圧の計測を行うことを特徴としている。
【手続補正５】
【補正対象書類名】明細書
【補正対象項目名】００１３
【補正方法】変更
【補正の内容】
【００１３】
請求項６記載の構成は、請求項５記載の電子機器において、前記所定範囲は、５［ｍＶ／ｍｓｅｃ］以内であることを特徴としている。
【手続補正６】
【補正対象書類名】明細書
【補正対象項目名】００１４
【補正方法】変更
【補正の内容】
【００１４】
請求項７記載の構成は、請求項５記載の電子機器において、前記所定範囲は、０．５［ｍＶ／ｍｓｅｃ］以内であることを特徴としている。
【手続補正７】
【補正対象書類名】明細書
【補正対象項目名】００１５
【補正方法】変更
【補正の内容】
【００１５】
請求項８記載の構成は、請求項１記載の電子機器において、前記電圧計測部は、前記疑似負荷が接続されていない時の電圧を計測するに際し、前記被駆動部が駆動を止めてから単位時間あたりの電圧変化量が一定範囲以内になった場合に電圧計測を行うことを特徴としている。
【手続補正８】
【補正対象書類名】明細書
【補正対象項目名】００１６
【補正方法】変更
【補正の内容】
【００１６】
請求項９記載の構成は、請求項８記載の電子機器において、前記電圧計測部は、所定時間内に前記電圧変化量が前記一定範囲内に収まらない場合には、前回被駆動部を駆動する際に使用した計測値を電圧計測値として用いることを特徴としている。
【手続補正９】
【補正対象書類名】明細書
【補正対象項目名】００１７
【補正方法】変更
【補正の内容】
【００１７】
請求項１０記載の構成は、請求項８記載の電子機器において、前記一定範囲は、５［ｍＶ／ｍｓｅｃ］以内であることを特徴としている。
【手続補正１０】
【補正対象書類名】明細書
【補正対象項目名】００１８
【補正方法】変更
【補正の内容】
【００１８】
請求項１１記載の構成は、請求項８記載の電子機器において、前記一定範囲は、０．５［ｍＶ／ｍｓｅｃ］以内であることを特徴としている。
【手続補正１１】
【補正対象書類名】明細書
【補正対象項目名】００１９
【補正方法】変更
【補正の内容】
【００１９】
請求項１２記載の構成は、請求項１記載の電子機器において、前記記憶部は、前記被駆動部の動作時に前記電源において許容できる下限電圧をＶ４とし、前記疑似負荷の抵抗値をＲＴとし、前記被駆動部の抵抗換算値をＲＸとし、無負荷時の前記電源の電圧Ｖ０の場合に許容できる前記電源の内部抵抗上限値をＲＬとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを記憶することを特徴としている。
ＲＬ＝ＲＸ×（Ｖ０−Ｖ４）／Ｖ４          ……（１）
ＶＴＬ＝ＲＴ×（Ｖ０／（ＲＬ＋ＲＴ））    ……（２）
【手続補正１２】
【補正対象書類名】明細書
【補正対象項目名】００２０
【補正方法】変更
【補正の内容】
【００２０】
請求項１３記載の構成は、請求項１記載の電子機器において、出力電圧を所定電圧とする電圧調整部を有し、前記被駆動部に対する前記電力の供給が前記電圧調整部を介して行われ、かつ、前記記憶部は、前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の電圧降下量の抵抗換算値をＲＥＧｄとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを記憶することを特徴としている。
ＲＬ＝ＲＸ×（Ｖ０−Ｖ４）／Ｖ４−ＲＥＧｄ          ……（１）
ＶＴＬ＝ＲＴ×（Ｖ０／（ＲＬ＋ＲＴ））              ……（２）
【手続補正１３】
【補正対象書類名】明細書
【補正対象項目名】００２１
【補正方法】変更
【補正の内容】
【００２１】
請求項１４記載の構成は、請求項１記載の電子機器において、出力電圧を所定の規定電圧とする電圧調整部を有し、前記被駆動部に対する前記電力の供給が前記電圧調整部を介して行われるに際し、前記被駆動部が前記規定電圧未満の電圧で駆動可能な場合であって、かつ、前記記憶部は、前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の定格出力電圧をＲＥＧｏｕｔとし、前記電圧調整部の電圧降下量の抵抗換算値をＲＥＧｄとし、前記電源の電圧が前記電圧調整部の定格出力電圧ＲＥＧｏｕｔ未満となった場合の前記電圧調整部の電圧降下量の抵抗換算係数をＲＥＧｄｄとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを記憶することを特徴としている。
ＲＬ＝ＲＸ×（Ｖ０−Ｖ４）／Ｖ４−ＲＥＧｄ
−ＲＥＧｄd×（ＲＥＧｏｕｔ−Ｖ４）  ……（１）
ＶＴＬ＝ＲＴ×（Ｖ０／（ＲＬ＋ＲＴ））             ……（２）
【手続補正１４】
【補正対象書類名】明細書
【補正対象項目名】００２３
【補正方法】変更
【補正の内容】
【００２３】
請求項１６記載の構成は、請求項１記載の電子機器において、更に出力電圧を所定の規定電圧とする電圧調整部を有し、前記被駆動部は、前記電力が前記電源から直接供給される第１被駆動部と、前記電力が前記電圧調整部を介して供給される第２被駆動部とからなる前記電子機器において、前記第１被駆動部および前記第２被駆動部を同時駆動する場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の内部抵抗が前記内部抵抗上限値ＲＬである場合に前記疑似負荷接続時の前記電源の電圧をＶＴＬとした場合に、
前記第１被駆動部を駆動させる場合に許容される前記電源の内部抵抗上限値ＲＬ1を（１）式により算出し、
ＲＬ1＝（Ｖ０−Ｖ４）／（（Ｖ４／Ｒｍｏ）
＋（Ｖ４／（Ｒｅｂ＋ＲＥＧｄ）））
……（１）
前記第２被駆動部を駆動させる場合に許容される前記電源の内部抵抗上限値ＲＬ2を（２）式により算出し、
ＲＬ2＝（Ｖ０−（Ｖ４＋（Ｖ４／Ｒｅｂ×ＲＥＧｄ）））／（（Ｖ４／Ｒｅｂ）＋（（（Ｖ４／Ｒｅｂ×ＲＥＧｄ）＋Ｖ４）／Ｒｍｏ））
……（２）
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴としている。
ＶＴＬ＝ＲＴ×（Ｖ０／（ＲＬ＋ＲＴ））              ……（３）
【手続補正１５】
【補正対象書類名】明細書
【補正対象項目名】００２４
【補正方法】変更
【補正の内容】
【００２４】
請求項１７記載の構成は、請求項１記載の電子機器において、前記電子機器は、出力電圧を所定の規定電圧ＲＥＧｏｕｔとする電圧調整部を有し、前記被駆動部は、前記電力が前記電源から直接供給される第１被駆動部と、前記電力が前記電圧調整部を介して供給される第２被駆動部と、を有し、前記第１駆動部及び前記第２駆動部を同時駆動する場合であり、かつ、前記第２被駆動部が前記規定電圧未満の電圧で駆動可能な場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の電圧が前記規定電圧ＲＥＧｏｕｔを下回った場合の前記電圧調整部の電圧降下量の抵抗換算係数をＲＥＧｄdとし、前記電源の内部抵抗が前記内部抵抗上限値ＲＬである場合に前記疑似負荷接続時の前記電源の電圧をＶＴＬとした場合に、
前記第１被駆動部を駆動させる場合に許容される前記電源の内部抵抗上限値ＲＬ1を（１）式により算出し、
ＲＬ1＝（Ｖ０−Ｖ４）／（（Ｖ４／Ｒｍｏ）
＋Ｖ４／（Ｒｅｂ＋ＲＥＧｄ
＋（ＲＥＧｄｄ×（ＲＥＧｏｕｔ−Ｖ４））））
……（１）
前記第２被駆動部を駆動させる場合に許容される前記電源の内部抵抗上限値ＲＬ2を（２）式により算出し、
ＲＬ2＝（Ｖ０−（Ｖ４＋（Ｖ４／Ｒｅｂ×（ＲＥＧｄ＋ＲＥＧｄd×（ＲＥＧｏｕｔ−Ｖ４）））））／（（Ｖ４／Ｒｅｂ）＋（（（Ｖ４／Ｒｅｂ×（ＲＥＧｄ＋ＲＥＧｄd×（ＲＥＧｏｕｔ−Ｖ４）））＋Ｖ４）／Ｒｍｏ））
……（２）
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴としている。
ＶＴＬ＝ＲＴ×（Ｖ０／（ＲＬ＋ＲＴ））              ……（３）
【手続補正１６】
【補正対象書類名】明細書
【補正対象項目名】００２５
【補正方法】変更
【補正の内容】
【００２５】
請求項１８記載の構成は、請求項１２ないし１７のいずれかに記載の電子機器において、
前記記憶部は、無負荷時の前記電源の電圧Ｖ０を下位アドレスとし、被駆動部の駆動要求状態を上位アドレスとした記憶領域に前記電圧ＶＴＬをデータとして記憶していることを特徴としている。
【手続補正１７】
【補正対象書類名】明細書
【補正対象項目名】００２６
【補正方法】変更
【補正の内容】
【００２６】
請求項１９記載の構成は、電力を供給する電源と、前記電力が供給で駆動される被駆動部と、前記電源の放電を行うための疑似負荷と、前記疑似負荷を前記電源に接続したり、接続を切ったりする接続部と、無負荷時に前記電源の電圧において前記被駆動部を駆動するのに許容できる前記電源の内部抵抗の上限値を内部抵抗上限値とし、内部抵抗値が前記内部抵抗上限値である前記電源に前記疑似負荷を接続したときの前記電源の電圧と、無負荷時の前記電源の電圧と、を対応させてあらかじめ記憶する記憶部と、前記電源の電圧を計測する電圧計測部と、を備えた電子機器の制御方法において、前記電源に前記疑似負荷を接続した場合に前記電圧計測部によって計測される前記電源の電圧を第１電圧とし、前記電圧計測部により計測された無負荷時の前記電源の電圧に対応させて前記記憶部から読み出した、内部抵抗値が前記内部抵抗上限値と一致する前記電源に前記疑似負荷を接続したときの前記電源の電圧を第２電圧とした時、前記第１電圧と前記第２電圧とを比較し、
前記比較結果に基づいて前記被駆動部の駆動の可否を判断し、前記被駆動部の駆動が可能な場合には前記被駆動部の駆動を行わせる、ことを特徴としている。
【手続補正１８】
【補正対象書類名】明細書
【補正対象項目名】００２７
【補正方法】変更
【補正の内容】
【００２７】
請求項２０記載の構成は、請求項１９記載の電子機器の制御方法において、疑似負荷が接続された前記電源の電圧を計測するに際し、前記疑似負荷を接続してから、前記電源の電圧の単位時間あたりの電圧変化量が所定範囲内に収まった後に電圧の計測を行うことを特徴としている。
【手続補正１９】
【補正対象書類名】明細書
【補正対象項目名】００２８
【補正方法】変更
【補正の内容】
【００２８】
請求項２１記載の構成は、請求項２０記載の電子機器の制御方法において、前記所定範囲は、５［ｍＶ／ｍｓｅｃ］以内であることを特徴としている。
【手続補正２０】
【補正対象書類名】明細書
【補正対象項目名】００２９
【補正方法】変更
【補正の内容】
【００２９】
請求項２２記載の構成は、請求項２０記載の電子機器の制御方法において、前記所定範囲は、０．５［ｍＶ／ｍｓｅｃ］以内であることを特徴としている。
【手続補正２１】
【補正対象書類名】明細書
【補正対象項目名】００３０
【補正方法】変更
【補正の内容】
【００３０】
請求項２３記載の構成は、請求項１９記載の電子機器の制御方法において、前記疑似負荷の非接続時の電圧を計測するに際し、前記被駆動部が駆動を止めてから単位時間あたりの電圧変化量が一定範囲以内になった場合に電圧計測を行うことを特徴としている。
【手続補正２２】
【補正対象書類名】明細書
【補正対象項目名】００３２
【補正方法】変更
【補正の内容】
【００３２】
請求項２５記載の構成は、請求項２３記載の電子機器の制御方法において、前記一定範囲は、５［ｍＶ／ｍｓｅｃ］以内であることを特徴としている。
【手続補正２３】
【補正対象書類名】明細書
【補正対象項目名】００３３
【補正方法】変更
【補正の内容】
【００３３】
請求項２６記載の構成は、請求項２３記載の電子機器の制御方法において、前記一定範囲は、０．５［ｍＶ／ｍｓｅｃ］以内であることを特徴としている。
【手続補正２４】
【補正対象書類名】明細書
【補正対象項目名】００３４
【補正方法】変更
【補正の内容】
【００３４】
請求項２７記載の構成は、請求項１９記載の電子機器の制御方法において、前記被駆動部の動作時に前記電源において許容できる下限電圧をＶ４とし、前記疑似負荷の抵抗値をＲＴとし、前記被駆動部の抵抗換算値をＲＸとし、無負荷時の前記電源の電圧Ｖ０の場合に許容できる前記電源の内部抵抗上限値をＲＬとし、内部抵抗値が前記内部抵抗上限値ＲＬである場合に前記疑似負荷を接続したときの前記電源の電圧をＶＴＬとした場合に、前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを前記記憶部に記憶させることを特徴としている。
ＲＬ＝ＲＸ×（Ｖ０−Ｖ４）／Ｖ４          ……（１）
ＶＴＬ＝ＲＴ×（Ｖ０／（ＲＬ＋ＲＴ））    ……（２）
【手続補正２５】
【補正対象書類名】明細書
【補正対象項目名】００３５
【補正方法】変更
【補正の内容】
【００３５】
請求項２８記載の構成は、請求項１９記載の電子機器の制御方法において、前記電子機器は、出力電圧を所定電圧として前記被駆動部に対する前記電力の供給を行う電圧調整部を有し、前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の電圧降下量の抵抗換算値をＲＥＧｄとし、内部抵抗値が前記内部抵抗上限値ＲＬである場合に、前記疑似負荷接続時の前記電源の電圧をＶＴＬとした場合に、前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを前記記憶部に記憶させることを特徴としている。
ＲＬ＝ＲＸ×（Ｖ０−Ｖ４）／Ｖ４−ＲＥＧｄ          ……（１）
ＶＴＬ＝ＲＴ×（Ｖ０／（ＲＬ＋ＲＴ））              ……（２）
【手続補正２６】
【補正対象書類名】明細書
【補正対象項目名】００３６
【補正方法】変更
【補正の内容】
【００３６】
請求項２９記載の構成は、請求項１９記載の電子機器の制御方法において、前記電子機器は、出力電圧を所定の規定電圧として前記被駆動部に対する前記電力の供給を行う電圧調整部を有し、前記被駆動部が前記規定電圧未満の電圧で駆動可能な場合であって、かつ、前記被駆動部の動作時に前記電源において許容できる下限電圧をＶ４とし、前記疑似負荷の抵抗値をＲＴとし、前記疑似負荷接続時の前記電源の電圧をＶ１とし、前記被駆動部の抵抗換算値をＲＸとし、無負荷時の前記電源の電圧Ｖ０の場合に許容できる前記電源の内部抵抗上限値をＲＬとし、前記電圧調整部の定格出力電圧をＲＥＧｏｕｔとし、前記電圧調整部の電圧降下量の抵抗換算値をＲＥＧｄとし、前記電源の電圧が前記電圧調整部の定格出力電圧ＲＥＧｏｕｔ未満となった場合の前記電圧調整部の電圧降下量の抵抗換算係数をＲＥＧｄdとし、内部抵抗値が前記内部抵抗上限値ＲＬである場合に前記疑似負荷接続時の前記電源の電圧をＶＴＬとした場合に、
前記電圧Ｖ０を変化させながら次式（１）、（２）式に代入して、前記電圧ＶＴＬを算出するとともに、前記電圧Ｖ０を前記記憶部内のアドレスに対応づけて算出した前記電圧ＶＴＬを前記記憶部に記憶させることを特徴としている。
ＲＬ＝ＲＸ×（Ｖ０−Ｖ４）／Ｖ４−ＲＥＧｄ
−ＲＥＧｄd×（ＲＥＧｏｕｔ−Ｖ４）  ……（１）
ＶＴＬ＝ＲＴ×（Ｖ０／（ＲＬ＋ＲＴ））           ……（２）
【手続補正２７】
【補正対象書類名】明細書
【補正対象項目名】００３８
【補正方法】変更
【補正の内容】
【００３８】
請求項３１記載の構成は、請求項１９記載の電子機器の制御方法において、前記電子機器は、出力電圧を所定の規定電圧とする電圧調整部を有し、前記被駆動部は、前記電力が前記電源から直接供給される第１被駆動部と、前記電力が前記電圧調整部を介して供給される第２被駆動部と、を有し、前記電子機器において、前記第１被駆動部および前記第２被駆動部を同時駆動する場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の内部抵抗が前記内部抵抗上限値ＲＬである場合に前記疑似負荷を接続したときの前記電源の電圧をＶＴＬとした場合に、
前記第１被駆動部を駆動させる場合に許容される前記電源の内部抵抗上限値ＲＬ1を（１）式により算出し、
ＲＬ1＝（Ｖ０−Ｖ４）／（（Ｖ４／Ｒｍｏ）
＋（Ｖ４／（Ｒｅｂ＋ＲＥＧｄ）））
……（１）
前記第２被駆動部を駆動させる場合に許容される前記電源の内部抵抗上限値ＲＬ2を（２）式により算出し、
ＲＬ2＝（Ｖ０−（Ｖ４＋（Ｖ４／Ｒｅｂ×ＲＥＧｄ）））／（（Ｖ４／Ｒｅｂ）＋（（（Ｖ４／Ｒｅｂ×ＲＥＧｄ）＋Ｖ４）／Ｒｍｏ））
……（２）
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴としている。
ＶＴＬ＝ＲＴ×（Ｖ０／（ＲＬ＋ＲＴ））              ……（３）
【手続補正２８】
【補正対象書類名】明細書
【補正対象項目名】００３９
【補正方法】変更
【補正の内容】
【００３９】
請求項３２記載の構成は、請求項１９記載の電子機器の制御方法において、前記電子機器は、出力電圧を所定の規定電圧ＲＥＧｏｕｔとする電圧調整部を有し、前記被駆動部は、前記電力が前記電源から直接供給される第１被駆動部と、前記電力が前記電圧調整部を介して供給される第２被駆動部と、を有し、前記第１駆動部及び前記第２駆動部を同時駆動する場合であり、かつ、前記第２被駆動部が前記規定電圧未満の電圧で駆動可能な場合であって、無負荷時の前記電源の電圧をＶ０とし、疑似負荷接続時の前記電源の電圧をＶ１とし、前記被駆動部の動作時に前記電源において許容できる下限電圧をＶ４とし、前記疑似負荷の抵抗値をＲＴとし、駆動しようとする前記第１被駆動部の抵抗換算値をＲｍｏとし、駆動しようとする前記第２被駆動部の抵抗換算値をＲｅｂとし、前記電圧調整部の電圧降下量の抵抗換算値をＲＥＧｄとし、電圧Ｖ０の場合に許容できる前記電源の内部抵抗上限値をＲＬとし、前記電源の電圧が前記規定電圧ＲＥＧｏｕｔを下回った場合の前記電圧調整部の電圧降下量の抵抗換算係数をＲＥＧｄdとし、前記電源の内部抵抗が前記内部抵抗上限値ＲＬである場合に前記疑似負荷接続時の前記電源の電圧をＶＴＬとした場合に、
前記第１被駆動部を駆動させる場合に許容される前記電源の内部抵抗上限値ＲＬ1を（１）式により算出し、
ＲＬ1＝（Ｖ０−Ｖ４）／（（Ｖ４／Ｒｍｏ）
＋Ｖ４／（Ｒｅｂ＋ＲＥＧｄ
＋（ＲＥＧｄd×（ＲＥＧｏｕｔ−Ｖ４））））
……（１）
前記第２被駆動部を駆動させる場合に許容される前記電源の内部抵抗上限値ＲＬ２を（２）式により算出し、
ＲＬ2＝（Ｖ０−（Ｖ４＋（Ｖ４／Ｒｅｂ×（ＲＥＧｄ＋ＲＥＧｄd×（ＲＥＧｏｕｔ−Ｖ４）））））／（（Ｖ４／Ｒｅｂ）＋（（（Ｖ４／Ｒｅｂ×（ＲＥＧｄ＋ＲＥＧｄd×（ＲＥＧｏｕｔ−Ｖ４）））＋Ｖ４）／Ｒｍｏ））
……（２）
内部抵抗上限値ＲＬ1あるいは内部抵抗上限値ＲＬ2のうちいずれか小さい抵抗値を前記内部抵抗上限値ＲＬとし、
前記電圧Ｖ０を変化させながら次式（３）式に代入して、前記電圧ＶＴＬを算出するとともに、前記電圧Ｖ０を前記記憶部内のアドレスに対応づけて算出した前記電圧ＶＴＬを前記記憶部に記憶することを特徴としている。
ＶＴＬ＝ＲＴ×（Ｖ０／（ＲＬ＋ＲＴ））              ……（３）
【手続補正２９】
【補正対象書類名】明細書
【補正対象項目名】００４０
【補正方法】変更
【補正の内容】
【００４０】
請求項３３記載の構成は、請求項２７ないし３２のいずれかに記載の電子機器の制御方法において、無負荷時の前記電源の電圧Ｖ０を下位アドレスとし、被駆動部の駆動要求状態を上位アドレスとした前記記憶部の記憶領域に前記電圧ＶＴＬをデータとして記憶させることを特徴としている。
【手続補正３０】
【補正対象書類名】明細書
【補正対象項目名】００７０
【補正方法】変更
【補正の内容】
【００７０】
充電の結果、二次電池２２０の電圧が上昇してあらかじめ定めた充電許容電圧（例えば、リチウムイオン電池の場合４［Ｖ］）を越えた場合には、放電用スイッチ３０２がオンされ充電が停止する。
また、マイクロプロセッサ３００は、検出対象電圧データＤＶDETがフラッシュメモリ２４７から出力される判別用データＶＴＬより大きい場合には（ステップＳ８；Ｙｅｓ）、二次電池２２０の電圧は、選択された重負荷の駆動に十分であるので、選択された重負荷を駆動することとなる（ステップＳ３２）。
続いてマイクロプロセッサ３００は、ステップＳ３２において駆動した重負荷駆動デバイス毎に定められた駆動期間が経過したか、あるいは、モータ駆動要求スイッチ２４１、ＥＬ駆動要求スイッチ２４２およびベゼル駆動要求スイッチ２４３の操作状態が非駆動状態にされたか否かを判別する（ステップＳ３３）。
【手続補正３１】
【補正対象書類名】明細書
【補正対象項目名】００７８
【補正方法】変更
【補正の内容】
【００７８】
上記条件の下、電池に接続されているモータは１００［Ω］の負荷となり、レギュレータ２３１に接続されているＥＬディスプレイ２３９とベゼル入力装置２４０の合成抵抗Ｒｅｂは１６６［Ω］となる。
従って、これらから負荷を駆動するために必要な二次電池２２０の内部抵抗ＲＬを求める。
モータ２３８の駆動に必要な内部抵抗ＲＬMTは、
ＲＬMT＝（Ｖ０−Ｖ４）／（（Ｖ４／Ｒｍ０）
＋（Ｖ４／（Ｒｅｂ＋ＲＥＧｄ）））となるので、この式に実際の値を当てはめてみると、
ＲＬMT＝（３．５−２）／（（２／１００）＋（２／（１６６＋１０）））
＝５０．８［Ω］
となる。
【手続補正３２】
【補正対象書類名】明細書
【補正対象項目名】００９４
【補正方法】変更
【補正の内容】
【００９４】
充電の結果、二次電池２２０の電圧が上昇してあらかじめ定めた充電許容電圧（例えば、リチウムイオン電池の場合４［Ｖ］）を越えた場合には、放電用スイッチ３０２がオンされ充電が停止する。
また、マイクロプロセッサ３００は、検出対象電圧データＤＶDETがフラッシュメモリ２４７から出力される判別用データＶＴＬより大きい場合には（ステップＳ５０；Ｙｅｓ）、二次電池２２０の電圧は、駆動要求フラグが立っている重負荷の駆動に十分であるので、駆動要求フラグが立っている重負荷を駆動することとなる（ステップＳ５１）。
続いてマイクロプロセッサ３００は、ステップＳ５１において駆動した重負荷駆動デバイス毎に定められた駆動期間が経過したか、あるいは、モータ駆動要求スイッチ２４１、ＥＬ駆動要求スイッチ２４２およびベゼル駆動要求スイッチ２４３の操作状態が非駆動状態にされたか否かを判別する（ステップＳ５２）。